(57)【要約】      （修正有）【課題】開栓後に飲み残したワインを確実且つ簡便に酸化防止して保存することができる液体保存容器を提供する。【解決手段】収縮可能な容器に飲み残しのワインを入れ、容器本体１を収縮させて、その液面を首部１０に達する程度にまで押し上げ、首部の径より小さい状態の栓２を首部に挿入し、栓の底部が首部内の液面に接する位置で栓の径を拡大させ首部に密着させることで、容器内の空気空間をなくした状態で容器を密閉する。【選択図】図１
2010100320.tif 000002
【特許請求の範囲】
【請求項１】
開口している所定長の首部を有し、容積可変に変形可能な容器本体と、
前記首部の内径よりも小さい口径から前記首部の内径より大きい口径まで径を拡大させることができる栓とを備え、
前記栓が前記首部の内径よりも小さい口径の状態で前記首部の開口部分から前記首部に挿入され、前記栓を前記首部の内面に密着させるように前記首部内で前記栓の径を拡大させることで、前記首部の任意の位置で前記首部を密閉することを特徴とする液体保存容器。
【請求項２】
請求項１において、
前記栓は、内部の空洞に収容された押圧部材の移動により、前記栓の側面を空洞内から押圧することで、前記栓の径を拡大させることを特徴とする液体保存容器。
【請求項３】
請求項１又は２において、
前記首部の開口部分は末広がり形状であることを特徴とする液体保存容器。
【請求項４】
内部に空洞部分を有する円筒部材と、
前記空洞部分に移動可能に収容される押圧部材と、
前記押圧部材に連結し、前記円筒部材の上面から突出する棒状部材とを備え、
前記空洞部分には、前記押圧部材の幅方向長さより広い内径部分と前記押圧部材の幅方向長さより短い内径が形成されていることを特徴とする液体保存容器用栓。
【請求項５】
開口している首部を有する円筒形の容器を閉じる栓において、
前記容器よりも長く、前記首部から前記容器内部に挿入可能な棒状部材と、
前記棒状部材の前記容器内部側の一端に固定され、前記容器内部で前記首部の内径よりも小さい状態から少なくとも前記容器の最大内径まで変化し、前記容器の断面を覆う径可変構造体とを備えることを特徴とする栓。
【請求項６】
開口している首部を有する円筒形の容器を閉じる栓において、
前記首部に挿入可能な棒状部材と、
前記棒状部材の前記首部内側の一端に固定され、前記首部の内径よりも小さい状態から少なくとも前記首部の最大内径まで変化し、前記首部の断面を覆う径可変構造体とを備えることを特徴とする栓。
【請求項７】
請求項５又は６において、
前記径可変構造体に対して前記棒状部材をその長さ方向に相対的に移動させることで、前記可変構造体の径を変化させることを特徴とする栓。
【発明の詳細な説明】
【技術分野】
【０００１】
本発明は、液体を保存する容器に関し、特に、飲み残したワインの酸化を防止する容器に関する。
【背景技術】
【０００２】
ワイン瓶（ワインボトル）を開栓すると、瓶内のワインは空気中の酸素と接触し、酸化が進み、風味が劣化するため、できるだけ早く飲みきることが望ましいが、飲み残した場合は、ワイン瓶等の容器を再度密栓して保存する。その際、飲み残したワインの風味が劣化しないように容器内のワインを酸化防止して保存するために、さまざまな手段が提案されている。
【０００３】
例えば、特許文献１（特開平２００６−２６４７８１号公報）や特許文献２（特開２００６−３６３４４号公報）は、栓に脱酸素剤を固定し、脱酸素剤を容器内の空間に配置することで、容器内のワインに触れる酸素を除去することで、ワインの酸化を防止する。
【０００４】
また、特許文献３（特開２００６−１７６１４８号公報）や特許文献４（特開２００１−３３５００８号公報）は、容器内の空気を不活性ガスに置換することで、ワインの酸化を防止する。
【０００５】
また、特許文献５（特開２００１−５８７００号公報）は、容器内の空間を真空にすることで、ワインの酸化を防止する。
【０００６】
さらに、特許文献６（特開２００１−１３９０３２号公報）は、容器内にガラス棒を入れ、容器内の空気の体積を減らすことでワインの酸化を防止する。
【特許文献１】特開平２００６−２６４７８１号公報
【特許文献２】特開２００６−３６３４４号公報
【特許文献３】特開２００６−１７６１４８号公報
【特許文献４】特開２００１−３３５００８号公報
【特許文献５】特開２００１−５８７００号公報
【特許文献６】特開２００１−１３９０３２号公報
【発明の開示】
【発明が解決しようとする課題】
【０００７】
しかしながら、脱酸素剤により酸素を除去する構成は、酸素を完全に除去できるとは限らず、また、開栓する毎に脱酸素剤を交換する必要がある。
【０００８】
また、容器内の空気空間を不活性ガスに置換する構成及び真空に引く構成は、機構が複雑であり、家庭などでの簡便な保存には適さない。また、安全上の問題も残る。
【０００９】
さらに、ガラス棒を挿入する構成は、容器内の空気空間を完全になくすことはできず、さらに、容器内の空気空間の体積の変化に柔軟に対応することができない。
【００１０】
そこで、本発明の目的は、開栓後に飲み残したワインを確実且つ簡便に酸化防止して保存することができる液体保存容器を提供することにある。
【課題を解決するための手段】
【００１１】
上記目的を達成するために、本発明では、収縮可能な容器に飲み残しのワインを入れ、容器を収縮させて、その液面を容器の首部に達する程度にまで押し上げ、首部の径より小さい状態の栓を首部に挿入し、栓の底部が首部内の液面に接する位置で栓の径を拡大させ首部に密着させることで、容器内の空気空間をなくした状態で容器を密閉する。
【００１２】
具体的には、本発明の液体保存容器の第一の構成は、開口している所定長の首部を有し、容積可変に収縮可能な容器本体と、前記首部の内径よりも小さい口径から前記首部の内径より大きい口径まで径を拡大させることができる栓とを備え、前記栓が前記首部の内径よりも小さい口径の状態で前記首部の開口部分から前記首部に挿入され、前記栓を前記首部の内面に密着させるように前記首部内で前記栓の径を拡大させることで、前記首部の任意の位置で前記首部を密閉することを特徴とする。
【００１３】
本発明の液体保存容器の第二の構成は、上記第一の構成のおいて、前記栓は、内部の空洞に収容された押圧部材の移動により、前記栓の側面を空洞内から押圧することで、前記栓の径を拡大させることを特徴とする。
【００１４】
本発明の液体保存容器の第三の構成は、上記第一又は第二の構成において、前記首部の開口部分は末広がり形状であることを特徴とする。
【発明の効果】
【００１５】
本発明によれば、容器内の空気空間をなくし、容器内の液体を空気（酸素）に触れさせずに保存することができるので、液体の酸化を防止し、風味劣化を抑制した保存が可能となる。
【発明を実施するための最良の形態】
【００１６】
以下、図面を参照して本発明の実施の形態について説明する。しかしながら、かかる実施の形態例が、本発明の技術的範囲を限定するものではない。
【００１７】
図１は、本発明の実施の形態における液体保存容器の構成例を示す図である。液体保存容器は、飲み残しのワインを保存するための容器であって、開口している首部（注ぎ口）１０を有し、且つ首部１０の下部が容積可変に変形可能な容器本体１と、その首部１０に挿入されて、首部１０を密閉する栓２とを備えて構成される。なお、図１（ａ）は、容器本体１が収縮されておらず、且つ栓２は首部１０に挿入されていない状態を示し、図１（ｂ）は容器本体１が収縮され、且つ栓２は首部１０を密閉している状態を示す。
【００１８】
容器本体１の形状は、図示されるように、フラスコ状であってもよいし、またワインボトルのような形状であってもよく、その形状は問わない。また、首部１０は、円筒形状であり、好ましくは、所定長にわたって一定内径を有する。ただし、首部１０の開口部分を末広がり形状とすることで、飲み残しのワインを容器内に移す作業を容易にし、容器内のワインを注ぎやすくすることができる。また、首部１０は、容器本体１に対して取りはずし可能に取り付けられていてもよい（例えばネジ式）。もちろん、取り付けられている状態では、首部１０は、容器本体１に密着している。
【００１９】
容器本体１は、ポリエチレン（ＰＥ）フィルム等を積層したオレフィン積層材料で形成され、好ましくは、容器本体１からの酸素透過を防止するために、非通気性プラスチック（例えばエチレン―ビニルアルコール共重合樹脂(EVOH)）層を挟んでいる（例えば、市販のマヨネーズやケチャップの容器）。容器本体１は、その柔軟性（軟質性）により、手で押したり握る程度の外部からの力により、その形状を自在に変形させることができ、容器本体１を凹ませるように変形することで、容器本体１の容積は縮小される。なお、容器本体１は、変形可能な程度であるが且つ自立可能な程度の硬さを有し、特に、容器本体１における首部１０の部分は、後述するように、栓２による密閉が可能な程度の剛性（硬質性）を有する。既知のブロー成形により、硬さが部位により異なる部材を一体的に成形することができる。また、容器本体１は、液面位置を視認可能とするために、透明であることが好ましいが、液面位置を視認可能な程度に色づけされていてもよい。
【００２０】
図１（ｂ）に示すように、手で握るようにして容器本体１を変形させることで、容積を縮小させ、容器本体１内のワインの液面位置を自在に調整可能となり、その液面位置が首部１０にまで達するように容器本体１を収縮させる。この状態で、栓２を首部１０内の液面位置まで挿入し、栓２の底部が液面と接触する位置で首部１０を密閉するように栓２は固定される。
【００２１】
栓２が液面に接触して首部１０は密閉されるので、容器内の空気空間をなくすことができ、ワインは酸素に触れることなく保存することができる。
【００２２】
図２は、栓２の原理的な構成の断面図である。例えば、ワインボトルのコルク栓のように、ワインボトルの内径よりわずかに広くその弾力性及び復元性を利用してボトルの開口部に強制的に挿入して密閉する場合、容器内の空気を外部に排出できないため、液面位置に接するように、ワインボトルを密閉することができず、密閉状態において必ず容器内に空気空間が残る。
【００２３】
これに対して、本実施の形態における栓２は、挿入される際に、首部１０に残る空気を排出させながら、ワインの液面位置まで達し、その位置で容器本体１を密閉することができる。その原理的な構成は、図２（ａ）に示すように、栓２の円筒部２０は、例えばシリコンゴムのような圧力により変形する材質で形成され、内部に空洞部分２１を有する。空洞部分には、上下方向に移動可能な球形部材２２を収容し、球形部材２２には、栓２の上面部から突出する棒状部材２３が連結している。円筒部２３と棒状部材２３が係合する部分はそれぞれねじ切り加工されており、人の手により棒状部材２３を回転させることで、球形部材２２を空洞部分２１内で上下方向に動かすことができる。空洞部分２１は、その内径が上下方向（高さ方向）において異なるように形成され、球形部材２２の径（幅方向長さ）より広い部分２１ａと球形部材の径より狭い部分２１ｂが形成される。図２の例では、内径が連続的に変化する構造となっている。
【００２４】
従って、図２（ｂ）に示すように、棒状部材２３を回転させて下方向に動かし、球形部材２２を、内径が球形部材２２の径より広い空洞部分２１ａから狭い空洞部分２１ｂに移動させると、球形部材２２は、空洞部分２１ｂの内面を押圧し、それにより、栓２の径が外方向に広げられる。
【００２５】
栓２の径は、球形部材２２が空洞部分２１ａにあるときは、容器本体１の内径より小さく、首部１０と栓２との隙間から空気を外部に排出しながら、栓２は首部１０内に挿入され、栓２の底部（下面部）が液面位置に接した位置で、棒状部材２３を押し下げることで、栓２の径を拡大させ、空洞部分２１内部から圧力を首部１０の内面に与えることで、栓２を首部１０に密着する。こうして、栓２は、液面位置に接した位置で容器本体１を密閉することで、容器本体１内の空気空間をなくして、容器本体１内のワインを保存することが可能となる。
球形部材２２及び棒状部材２３は金属、プラスチック、ガラスなどで形成され、好ましくは一体的に成型される。また、球形部材２２に変わって、別の形状の押圧部材であってもよく、径差により空洞部分２１を内部から押圧できる形状であれば、その形状は問わない。さらに、空洞部分２１の内径は、図２に例示するように、下に向かって狭くする場合に限らず、上方向に向かって狭くする構造であってもよい。その場合、棒状部材２３を下から上に上げる（球形部材２２を下から上に移動させる）操作により、栓２の径を拡大させる。円筒部材２０の肉厚、球形部材２２の径などの各種寸法は、首部１０に密着して密閉するのに必要な数値を適宜選択する。
【００２６】
図３は、栓２の具体的な構成例を示す外観斜視図である。栓２の円筒部２０の上面から棒状部材２３が突出しており、円筒部２０の上面には、持ち手２４が取り付けられ、手で持ち手２４を持って首部１０内の円筒部２０を液面位置に留めながら、棒状部材２３を押し下げることで、円筒部２０の径を拡大させ（点線部）、首部１０に密着させる。
【００２７】
図４は、容器本体１の別の構成例を示す図である。図４には、容器本体１の外観形状と底面の形状が示される。容器本体１は、四角錐形状を基本形とし（図４（ａ））、その側面を内側に折り曲げるように凹ませることにより（図４（ｂ））、底面積を小さくして容積を収縮させることで、ワインの液面位置を首部１０まで押し上げることができる。
【００２８】
図５は、液体保存容器を支える支持具の例を示す図である。容器本体１の柔軟性により自立できない場合は、図５に示すように、支持具３の把持部３０により、首部１０のくびれ部分を把持し、吊り下げる。もちろん、容器本体１が自立可能に形成されている場合は、図５の支持具は必要ない。なお、図５では、栓２の記載を省略している。
【００２９】
図６は、本発明の実施の形態における栓の別の構成例を示す図である。本例の栓５は、飲み残しのワインが入っている円筒形のワイン瓶４０にそのまま適用するものであり、ワイン瓶４０の首部４１からその内部に挿入可能な棒状部材５１の先端に、径が変化する径可変構造体５２が固定されている。
【００３０】
径可変構造体５２は、棒状部材５１のワイン瓶４０内部の一端５１ａに固定され且つ径が変化する拡大収縮部５２１と、拡大収縮部５２１に接続して首部４１から外部に延びるパイプ状の延長部５２２を備えて構成される。
【００３１】
延長部５２２は、例えばステンレスパイプで形成されるが、必要な強度が確保される他の素材でもかまわない。棒状部材５１は延長部５２２内を通り、外部に突出している。
【００３２】
拡大収縮部５２１は、傘状の円錐形状を２つ合わせたような形状であり、傘の開閉動作のように上下動させることで、径が変化する。拡大収縮部５２１の径は首部４１の内径より小さい径からワイン瓶４０の少なくとも最大内径まで拡大可能であり、図示されるように、延長部５２２を固定したまま、棒状部材５１を上に引き上げることで、拡大収縮部５２１は傘状に開き、その径が拡大し、その状態から下に押し下げることで、傘が閉じられるようにその径を収縮させることができる。拡大収縮部５２１は、例えば、ビニールやナイロンなどの水及び空気が浸透しない素材で形成され、拡大時にワイン瓶４０の内面に密着する外縁部はシリコンゴムなどが取り付けられる。
【００３３】
好ましくは、栓５は、首部４１に嵌合する円筒部５３を有し、延長部５２２は円筒部５３を貫通して外部に露出し、棒状部材の他端５１ｂは、パイプ状の延長部５２２から外部に突出している。円筒部５３は、延長部５２２を固定するのに有用である。また、円筒部５３は、延長部５２２の長さ方向に対して移動可能であり、径可変構造体５２をワイン瓶４０内の所望の位置に位置決めすることができる。
【００３４】
径可変構造体５２の動作は以下の通りである。飲み残しのワインが残っているワイン瓶４０内部に拡大収縮部５２１を閉じた状態で挿入し（図６（ａ））、外部に露出している棒状部材５１の他端５１ｂ側を引き上げて、拡大収縮部５２２の径を拡大させ、その外縁５２２ａをワイン瓶４０の内面に密着させる。これにより、ワイン瓶４０の断面が覆われ、ワインの液面付近を密閉することで、液面上の空気空間をほぼなくすことができ、ワインの酸化防止を抑制することができる。
【００３５】
また、図６に示した構造の栓５は、容積可変に変形可能な容器本体１（図１）の首部を密閉する栓としても適用可能である。すなわち、棒状部材５１の一端が首部内に挿入され、径可変構造体５２の拡大収縮部５２１は、首部の内径より小さい径から少なくとも首部の内径まで拡大可能とする。そして、延長部５２２を固定したまま、棒状部材５１を上に引き上げることで、拡大収縮部５２１は傘状に開き、その径を拡大し、拡大収縮部５２１の外周部が首部の内周面に密着することで、首部の任意の位置を密閉することができる。
【００３６】
棒状部材５１と延長部材５２２とを螺合させ、棒状部材５１を回転させることで、延長部材５２２に対して上下方向に移動させ、拡大収縮部５２１の径を変化させるようにしてもよい。また、ワイン瓶に限らず、他の液体保存用容器にも適用可能である。
上述の実施の形態例では、ワインの保存容器として説明したが、本実施の形態例の液体保存容器は、ワインに限らず、空気（酸素）との接触により劣化する他の液体の保存にも適用される。
【図面の簡単な説明】
【００３７】
【図１】本発明の実施の形態における液体保存容器の構成例を示す図である。
【図２】栓２の原理的な構成の断面図である。
【図３】栓２の具体的な構成例を示す外観斜視図である。
【図４】容器本体１の別の構成例を示す図である。
【図５】液体保存容器を支える支持具の例を示す図である。
【図６】本発明の実施の形態における栓の別の構成例を示す図である。
【符号の説明】
【００３８】
１：容器本体、２：栓、３：支持具、１０：首部、２０：円筒部、２１：空洞部分、２２：球形部材、２３：棒状部材、２４：持ち手、３０：把持部、４０：ワイン瓶、４１：首部、５１：棒状部材、５２：径可変構造体、５２１：拡大収縮部、５２２：延長部材、５３：円筒部
【図１】
2010100320.tif 000003
【図２】
2010100320.tif 000004
【図３】
2010100320.tif 000005
【図４】
2010100320.tif 000006
【図５】
2010100320.tif 000007
【図６】
2010100320.tif 000008
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
開口している所定長の首部を有し、容積可変に変形可能な容器本体と、
前記首部の内径よりも小さい口径から前記首部の内径より大きい口径まで径を拡大させることができる栓とを備え、
前記栓が前記首部の内径よりも小さい口径の状態で前記首部の開口部分から前記首部に挿入され、前記栓を前記首部の内面に密着させるように前記首部内で前記栓の径を拡大させることで、前記首部の任意の位置で前記首部を密閉し、
前記栓には、前記栓を首部の任意の位置に留めるための持ち手が取り付けられていることを特徴とする液体保存容器。
【請求項２】
請求項１において、
前記栓は、内部の空洞に収容された押圧部材の移動により、前記栓の側面を空洞内から押圧することで、前記栓の径を拡大させることを特徴とする液体保存容器。
【請求項３】
請求項１又は２において、
前記首部の開口部分は末広がり形状であることを特徴とする液体保存容器。
【手続補正２】
【補正対象書類名】明細書
【補正対象項目名】００１２
【補正方法】変更
【補正の内容】
【００１２】
具体的には、本発明の液体保存容器の第一の構成は、開口している所定長の首部を有し、容積可変に変形可能な容器本体と、前記首部の内径よりも小さい口径から前記首部の内径より大きい口径まで径を拡大させることができる栓とを備え、前記栓が前記首部の内径よりも小さい口径の状態で前記首部の開口部分から前記首部に挿入され、前記栓を前記首部の内面に密着させるように前記首部内で前記栓の径を拡大させることで、前記首部の任意の位置で前記首部を密閉し、前記栓には、前記栓を首部の任意の位置に留めるための持ち手が取り付けられていることを特徴とする。